(57)【要約】【課題】透光部と一体の透光部枠を、かご室内からでも乗りかごの上からでも、照明装置のケースから容易に取り外しできるようにしする。【解決手段】本発明の実施形態によるエレベータの天井照明装置は、乗りかごの天井に取り付けられる照明装置であって、点検口と救出口が設けられた天井に取り付けられ、かご室内を照明する複数の照明灯１８からなる発光部と、発光部１８を取り囲むように天井に固定されるケース１５と、発光部の下に配置され、発光部からの光を下方に透過させる透光部１６と、透光部１６を保持し、ケース１５に対して回動可能に片側が枢支された透光部枠２０と、透光部枠２０をケース１５に対して閉じる閉位置へ固定し、および固定解除をするための透光部枠ロック機構３０と、を備えている。この透光部枠ロック機構３０は、かご室内でのケース１５の外側からの操作および前記天井の点検口を通してのケース１５内側からの操作によって、透光部枠２０の固定／解除が可能である。【選択図】図４
2017114588.tif 000002
【特許請求の範囲】
【請求項１】
エレベータの乗りかごの天井に取り付けられる照明装置であって、
点検口と救出口が設けられた天井に取り付けられ、かご室内を照明する複数の照明灯からなる発光部と、
前記発光部を取り囲むように前記天井に固定されるケースと、
前記発光部の下に配置され、前記発光部からの光を下方に透過させる透光部と、
前記透光部を保持し、前記ケースに対して回動可能に片側が枢支された透光部枠と、
前記透光部枠を前記ケースに対して閉じる閉位置へ固定し、および固定解除をするための透光部枠ロック機構と、を備え、
前記透光部枠ロック機構は、前記かご室内での前記ケース外側からの操作および前記天井の点検口を通しての前記ケース内側からの操作によって、前記透光部枠の固定／解除が可能であることを特徴とするエレベータ乗りかごの天井照明装置。
【請求項２】
前記透光部枠ロック機構は、前記ケースの内側で、当該ケースと前記透光部枠とを連結するＬ字型のブラケットと、
前記ブラケットの一端部を前記ケースの内側に着脱可能に固定し、前記ケースの外側で緩めて前記ブラケットからの取り外しが可能な第１のねじ要素と、
前記ブラケットの他端部を前記透光部枠に着脱可能に固定し、前記ケースの内側で緩めて前記ブラケットからの取り外しが可能な第２のねじ要素と、
からなることを特徴とする請求項１に記載のエレベータ乗りかごの天井照明装置。
【請求項３】
前記透光部枠ロック機構は、前記ケースの外側から回転させることが可能な回転軸と、
前記回転軸に前記ケースの内側で連結されたレバーと、
前記ケースの内側で緩めて取り外しが可能なねじ要素によって前記透光部枠に着脱可能に固定され、前記レバーの先端部が係合可能な被係合部を有するブラケットと、からなることを特徴とする請求項１に記載のエレベータ乗りかごの天井照明装置。
【請求項４】
前記透光部枠ロック機構は、前記ケースの外側からキーが挿入されるキー穴を有し、前記ケースの内側に固定されたシリンダ錠と、
前記シリンダ錠に連結され、前記キーの回転とともに回転可能なレバーと、
前記ケースの内側で緩めて取り外しが可能なねじ要素によって前記透光部枠に着脱可能に固定され、前記レバーの先端部が係合可能な被係合部を有するブラケットと、からなることを特徴とする請求項１に記載のエレベータ乗りかごの天井照明装置。
【請求項５】
前記透光部枠ロック機構は、前記ケースの外側でキーが挿入され、前記ケースの内側に固定されたシリンダ錠と、
前記シリンダ錠に連結され、前記キーの回転とともに回転可能なレバーと、
前記透光部枠に固定されたブラケットと、
前記ケースの内側から緩めて取り外し可能に前記ブラケットに取り付けられ、前記レバーの先端部が係合可能な被係止部を構成するねじ要素と、からなることを特徴とする請求項１に記載のエレベータ乗りかごの天井照明装置。
【発明の詳細な説明】
【技術分野】
【０００１】
本発明の実施形態は、エレベータ乗りかごの天井照明装置に関する。
【背景技術】
【０００２】
エレベータの乗りかごの天井には、かご室内を明るく照らすための照明装置が設置されている。照明装置は、天井に固定された蛍光灯やＬＥＤランプなどからなる発光部と、その発光部を覆うケースと、光を透過する透光部を有している。
【０００３】
従来、故障したり寿命の尽きた発光部を交換する作業は、天井に設けられた点検口を開けて、乗りかごの上部から行われていた。しかし、近年では、作業の安全性や乗りかご上部の省スペース化などを重視する観点から、発光部の交換作業は、かご室内で行われるようになってきている。
【０００４】
従来、かご室内からの作業によって、カバーなどを着脱あるいは開閉できるようにした照明装置としては、例えば、特許文献１、２に記載されているものがある。
【先行技術文献】
【特許文献】
【０００５】
【特許文献１】特開平７−１６５３８２号公報
【特許文献２】特開２０１１−６８４５２号公報
【発明の開示】
【発明が解決しようとする課題】
【０００６】
エレベータでは、大きな地震が発生したような場合に、エレベータが緊急停止することがある。乗りかごの天井には、点検口のほかに、乗りかご内に閉じ込められた乗客を救出するための救出口が設けられていることが多い。  
乗りかごの上部から救出口を開けた場合、照明装置の透光部がそのままであると、乗客を救出することができない。迅速な救出のためには、透光部を乗りかごの上部から取り外せるようにすることが望ましいが、従来はかご室内側からしか取り外すことができなかった。
【０００７】
また、照明装置の点検あるいは発光部の蛍光灯などの交換作業の際にも、状況に応じて、かご室内からでも、乗りかご上部からでも行えることが望ましい。
【０００８】
本発明は、前記従来技術の有する問題点に鑑みなされたものであって、透光部と一体の透光部枠を、かご室内からでも乗りかごの上からでも、照明装置のケースから容易に取り外しできるようにしたエレベータ乗りかごの天井照明装置を提供することを目的とする。
【課題を解決するための手段】
【０００９】
前記の目的を達成するために、本発明の実施形態に係るエレベータの乗りかごの天井照明装置は、エレベータの乗りかごの天井に取り付けられる照明装置であって、点検口と救出口が設けられた天井に取り付けられ、かご室内を照明する複数の照明灯からなる発光部と、前記発光部を取り囲むように前記天井に固定されるケースと、前記発光部の下に配置され、前記発光部からの光を下方に透過させる透光部と、前記透光部を保持し、前記ケースに対して回動可能に片側が枢支された透光部枠と、前記透光部枠を前記ケースに対して閉じる閉位置へ固定し、および固定解除をするための透光部枠ロック機構と、を備え、前記透光部枠ロック機構は、前記かご室内での前記ケース外側からの操作および前記天井の点検口を通しての前記ケース内側からの操作によって、前記透光部枠の固定／解除が可能であることを特徴とするものである。
【図面の簡単な説明】
【００１０】
【図１】本発明の第１実施形態による天井照明装置をかご室内から見上げたときの平面図である。
【図２】本発明の第１実施形態による天井照明装置の正面を示す図である。
【図３】図１のIII-III断面を示す図である。
【図４】図１のIV-VI断面を示す図である。
【図５】本発明の第１実施形態による天井照明装置が備える透光部枠ロック機構を透光部枠の長手方向からみた側面図である。
【図６】透光部枠ロック機構をケースの内側からみた正面図である。
【図７】透光部枠ロック機構をかご室側から解除し、透光部枠を開ける操作を示す図である。
【図８】透光部枠ロック機構を天井側から解除し、透光部枠を開ける操作を示す図である。
【図９】本発明の第２実施形態による天井照明装置が備える透光部枠ロック機構をケースの内側からみた正面図である。
【図１０】図９の透光部枠ロック機構を透光部枠の長手方向からみた側面図である。
【図１１】本発明の第３実施形態による天井照明装置が備える透光部枠ロック機構をケースの内側からみた正面図である。
【図１２】図１１の透光部枠ロック機構を透光部枠の長手方向からみた側面図である。
【図１３】本発明の第４実施形態による天井照明装置が備える透光部枠ロック機構をケースの内側からみた正面図である。
【図１４】図１３の透光部枠ロック機構を透光部枠の長手方向からみた側面図である。
【発明を実施するための最良の形態】
【００１１】
以下、本発明によるエレベータ乗りかごの天井照明装置の一実施形態について、添付の図面を参照しながら説明する。  
（第１実施形態）
図１は、かご室内から見上げたときの天井照明装置１４を示す平面図（下面図）である。図２は、天井照明装置１４の正面を示す図である。図３は、図１のIII−III断面を示す図で、図４は、図１のIV−IV断面を示す図である。
【００１２】
図１において、乗りかごのかご室は、側板１０によって囲まれている。天井１２には、天井照明装置１４が取り付けられ、かご室内を明るく照らすようになっている。天井照明装置１４は、四角な枠をなすケース１５と、光を透過する樹脂製の板からなる透光部１６を備えている。
【００１３】
ケース１５は、発光部を囲むように天井１２に取り付けられている。ケース１５の内部では、発光部としての複数の蛍光灯１８が天井１２に固定されている。この場合、蛍光灯１８は、点検口を塞ぐ点検口カバー１７に取り付けられている。また、天井１２には、救出口を開閉する救出口カバー１９が設けられており、この救出口カバー１９にも蛍光灯１８が取り付けられている。なお、発光部の照明灯としては、蛍光灯１８のほかに、ＬＥＤランプや白熱ランプであってもよい。
【００１４】
この実施形態では、３個並んだ蛍光灯１８を１単位として、１つの天井照明装置１４が構成されている。すなわち、１つのケース１５に対して、１枚の透光部１６が設けられ、天井照明装置１４は、３台並列に配置されている。図３、図４に示されるように、透光部１６は、長方形の枠をなす透光部枠２０に保持されている。透光部枠２０は、ケース１５に対して回動自在に取り付けられている。
【００１５】
図４に示されるように、短手方向の側面には、それぞれ支持腕２２が固定具２１を介して固定されている。支持腕２２の先端には、透光部枠２０の片側を回動自在に支持する支軸２３が設けられている。  
図４では、透光部枠２０がケース１５に対して閉じられた位置に固定されている状態が示されている。本実施形態の天井照明装置１４では、透光部枠２０を閉位置に固定し、また、固定を解除して透光部枠２０を開けることができるように、次のような透光部枠ロック機構３０が設けられている。
【００１６】
ここで、図５は、透光部枠ロック機構３０を透光部枠２０の長手方向からみた側面図である。図６は、透光部枠ロック機構３０をケース１５の内側からみた正面図である。  
透光部枠ロック機構３０は、Ｌ字形に曲折しているブラケット３１と、このブラケット３１の鉛直部分３１ａを着脱可能にケース１５の内側に固定するねじ要素である第１ボルト３２およびナット３３と、ブラケット３１の水平部分３１ｂを着脱可能に透光部枠２０側に固定するねじ要素である第２ボルト３４と、から構成されている。
【００１７】
図５に示されるように、ブラケット３１はケース１５の内側に配置されている。第１ボルト３２は、ケース１５の外側、すなわちかご室内側から締め付け、緩めることができるボルトであり、第１ボルト３２の頭部は、かご室内からアクセスできる位置にある。第１ボルト３２は、ケース１５およびブラケット３１を貫いて延び、その先端にナット３３が螺着されている。
【００１８】
図６に示されるように、第２ボルト３４は、天井１２の上からアクセスできるボルトであり、２本用いられている。透光部枠２０には、第２ボルト３４用に雌ねじが加工されており、第２ボルト３４は、ブラケット３１の水平部３１ｂを貫通して雌ねじに螺合する。この実施形態では、第２ボルト３４は、手で回し易いように、蝶ボルトが用いられている。
【００１９】
本実施形態によるエレベータ乗りかごの天井照明装置は、以上のように構成されるものであり、次に、天井照明装置１４の点検時などに透光部枠２０を開閉する際の操作について説明する。
【００２０】
まず、かご室内で、点検作業員が透光部枠２０を開けるときの操作について説明する。この場合、作業員は、かご室内に置いた脚立に乗り、手を頭上に伸ばして第１ボルト３２を緩める。
【００２１】
図５において、第１ボルト３２の頭部は、ケース１５の外側、すなわちかご室内側にあるので、第１ボルト３２を容易に緩めることができる。第１ボルト３２をブラケット３１から取り外すと、透光部枠２０は回動可能な状態になる。このとき、ブラケット３１は、第２ボルト３４によって透光部枠２０に固定されたままである。
【００２２】
図７に示されるように、透光部枠２０は、支軸２３を中心に回動し、開くことができる。この状態で、点検作業員は、ケース１５の内部にある蛍光灯１８を点検したり、交換することができる。
【００２３】
点検作業が終わると、透光部枠２０を閉じる位置まで持ち上げ、第１ボルト３２をケース１５の外側からブラケット３１にねじ込むことで、図５のように透光部枠２０を元通りに固定することができる。
【００２４】
次に、点検口を開けて、天井１２の上から透光部枠２０を開けるときの操作について図６、図８を参照して説明する。この場合、点検作業員は、乗りかごの上に乗って、開けた点検口３６から手を伸ばして第２ボルト３４を緩めることになる。
【００２５】
この点検口３６から手を伸ばしてアクセスできる位置に第２ボルト３４はある。２本の第２ボルト３４を緩めて取り外せば、ブラケット３１は透光部枠２０を支持しなくなるため、透光部枠２０が回動可能な状態になる。図８に示されるように、透光部枠２０を、支軸２３を中心に回動させ、開くことができる。
【００２６】
点検口３６から手を伸ばして透光部枠２０を開ける状況には、照明装置の点検も想定されているが、主として想定されているのは、非常停止した乗りかごに取り残された乗客を救出する状況である。  
救出の場合は、図１において、天井１２に取り付けられている救出口カバー１９を取り外して、救出口を開けることなる。透光部枠２０を開けるのは、真ん中にある天井照明装置になる。
【００２７】
本実施形態によれば、かご室内からでも、乗りかごの上からでも、透光部枠２０を開ける操作が容易である。特に、天井１２の上から透光部枠２０を開ける場合は、蝶ボルトからなる第２ボルト３４を緩めるだけで簡単であり、乗りかごに取り残された乗客を救出口から救出するのに役立てることができる。
【００２８】
（第２実施形態）  
次に、本発明の第２実施形態によるエレベータ乗りかごの天井照明装置について、図９、図１０を参照して説明する。  
この第２実施形態の天井照明装置は、第１実施形態の透光部枠ロック機構３０とは異なる構成の透光部枠ロック機構４０を備えている。それ以外は、第１実施形態と同様であり、同一の構成要素には同一の参照番号を付して、その詳細な説明は省略する。
【００２９】
図９は、透光部枠ロック機構４０をケース１５の内側からみた図である。図１０は、第２実施形態に係る透光部枠ロック機構４０を透光部枠２０の長手方向からみた側面図である。
【００３０】
この第２実施形態による透光部枠ロック機構４０は、レバー４１と、このレバー４１の回転軸として機能するねじ要素である第１ボルト４２と、ブラケット４４と、このブラケット４４を透光部枠２０に固定する第２ボルト４５と、から構成されている。
【００３１】
第１ボルト４２は、かご室側から回せるように、蝶ボルトが用いられ、ケース１５の外側にあるその頭部をペンチなどの工具で挟んで回転させることができる。またロックナット４６を締め付けることで、レバー４１が回らないように固定することが可能である。
【００３２】
図９に示されるように、ブラケット４４は、２本の蝶ボルトからなる第２ボルト４５によって、透光部枠２０に固定されている。ブラケット４４の自由端側は、２箇所で折れ曲がって、透光部枠２０の上面との間に隙間を形成する被係合部４４ａを有している。レバー４１の先端側の水平になった係合部４１ａは、被係合部４４ａを下から支持するように、着脱可能に係合する。
【００３３】
以上のような第２実施形態において、かご室内で、点検作業員が透光部枠２０を開けるときの操作を説明する。  
第１ボルト４２をかご室内側から回し、レバー４１を図９において矢印方向に回転させると、レバー４１の先の係合部４１ａとブラケット４４の被係合部４４ａとの係合状態を解除することができる。これによって、透光部枠２０を開くことができる。
【００３４】
透光部枠２０を閉じるには、透光部枠２０を水平に支持したまま、第１ボルト４２を逆方向に回せば、レバー４１の先の係合部４１ａがブラケット４４の被係合部４４ａに係合するようになるので、透光部枠２０が開かないようにロックすることができる。
【００３５】
以上のような第２実施形態に係る透光部枠ロック機構４０によれば、かご室内側から透光部枠ロック機構４０のロックを解除し、再度ロックするには、第１ボルト４２を回すだけでよいので、操作が非常に簡便になる利点がある。
【００３６】
なお、天井１２の点検口から透光部枠２０を開ける場合は、第１実施形態と同様に、２本の第２ボルト４５を緩めてブラケット４４から取り外せば、ブラケット４４が透光部枠２０を支持しなくなるため、透光部枠２０を開けることができる。
【００３７】
（第３実施形態）
次に、本発明の第３実施形態によるエレベータ乗りかごの天井照明装置について、図１１、図１２を参照して説明する。  
この第３実施形態に係る天井照明装置は、第２実施形態の透光部枠ロック機構４０と同様に、かご室内からの操作が回転式の透光部枠ロック機構５０を備えている。異なる点は、第１ボルト４２の替わりにシリンダ錠５２を利用する点にあり、それ以外は、第２実施形態と同様であり、図９、図１０と同一の構成要素には同一の参照番号を付して、その詳細な説明は省略する。
【００３８】
シリンダ錠５２は、錠ホルダ５３によってケース１５の内側に固定されている。図１２に示されるように、シリンダ錠５２の鍵穴５４がある端部は、かご室内側からキー（図示せず）を差し込められるように、ケース１５の外側に突き出るようになっている。
【００３９】
シリンダ錠５２の回転軸５６は、レバー５７と連結されている。レバー５７の先端側の水平になった係合部５７ａは、第２実施形態と同様に、ブラケット４４の被係合部４４ａを下から支持するように、着脱可能に係合する。ブラケット４４は、蝶ボルトからなる第２ボルト４５によって、透光部枠２０に固定されている。
【００４０】
以上のような第３実施形態において、かご室内で、点検作業員が透光部枠２０を開けるときの操作を説明する。  
キーをかご室内側からシリンダ錠５２に差し込んで、レバー５７を図１１において矢印方向に回すと、レバー５７の先の係合部５７ａとブラケット４４の被係合部４４ａとの係合状態を解除することができる。これによって、透光部枠２０を開くこと
透光部枠２０を閉じるには、透光部枠２０を水平に支持したままキーを入れて逆方向に回せば、レバー５７の先の係合部５７ａがブラケット４４の被係合部４４ａに係合するようになるので、透光部枠２０が開かないようにロックすることができる。
【００４１】
以上のように第３実施形態によれば、かご室内側から透光部枠ロック機構５０のロックを解除し、再度ロックするには、キーを使用しなければ操作できない。つまり、第３者は、勝手に操作できなくなるので、第３者のいたずらによるロック解除を確実に防止できる利点がある。
【００４２】
なお、天井１２の点検口から透光部枠２０を開ける場合は、第２実施形態と同様に、２本の第２ボルト４５を緩めて取り外せば、ブラケット４４が透光部枠２０を支持しなくなるため、透光部枠２０を開けることができる。
【００４３】
（第４実施形態）
次に、図１３、図１４は、本発明の第４実施形態に係る透光部枠ロック機構６０を示す図である。  
この第４実施形態では、第３実施形態と同様に、かご室内側からのロック解除操作にシリンダ錠５２を利用する回転式の透光部枠ロック機構６０を備えている。異なる点は、天井１２の点検口側からロック解除操作するときに、ブラケット６１を固定したままで、レバー５７が係合する被係合部材として機能する蝶ボルト６２のみを外すようにした点にある。それ以外は、第３実施形態と同様であり、図１１、図１２と同一の構成要素には同一の参照番号を付して、その詳細な説明は省略する。
【００４４】
ブラケット６１は、ボルト６４により透光部枠２０の上面に締着されている。このブラケット６１は垂直に立ち上がった垂直部分６１ａを有しており、この垂直部分６１ａに固着されたナット６４に蝶ボルト６２がねじ込まれている。蝶ボルト６２には、シリンダ錠５２と連結されたレバー５７の係合部５７ａが下から支持するように係合するようになっている。
【００４５】
以上のような第４実施形態によれば、天井１２の外側から、透光部枠２０を開けるには、蝶ボルト６２を緩めてブラケット６１から取り外せば、透光部材２０を開けることができる。閉じる場合は、逆に、透光部枠２０を水平に支えた状態で、蝶ボルト６２をブラケット６１にねじ込んで、蝶ボルト６２をレバー５７に係合させればよい。このように、第３実施形態に比べて、天井１２側からの操作が容易になる利点がある。
【００４６】
なお、透光部材２０を開閉する際のかご室側からの操作は、第３実施形態と同様であるので、説明は省略する。
【００４７】
以上、本発明に係るエレベータ乗りかごの天井照明装置について、好適な実施形態を挙げて説明したが、これらの実施形態は、例示として挙げたもので、発明の範囲の制限を意図するものではない。もちろん、明細書に記載された新規な装置、方法およびシステムは、様々な形態で実施され得るものであり、さらに、本発明の主旨から逸脱しない範囲において、種々の省略、置換、変更が可能である。請求項およびそれらの均等物の範囲は、発明の主旨の範囲内で実施形態あるいはその改良物をカバーすることを意図している。
【符号の説明】
【００４８】
１０…側板、１２…天井、１４…天井照明装置、１５…ケース、１６…透光部、１８…蛍光灯、１９…救出口カバー、２０…透光部枠、３０…透光部枠ロック機構、３１…ブラケット、３２…第１ボルト、３３…ナット、３４…第２ボルト、４０…透光部枠ロック機構、４１…レバー、４１ａ…係合部、４２…第１ボルト、４４…ブラケット、４４ａ…被係合部、４５…第２ボルト、５０…透光部枠ロック機構、５２…シリンダ錠、５３…錠ホルダ、６０…透光部枠ロック機構、６２…蝶ボルト
【図１】
2017114588.tif 000003
【図２】
2017114588.tif 000004
【図３】
2017114588.tif 000005
【図４】
2017114588.tif 000006
【図５】
2017114588.tif 000007
【図６】
2017114588.tif 000008
【図７】
2017114588.tif 000009
【図８】
2017114588.tif 000010
【図９】
2017114588.tif 000011
【図１０】
2017114588.tif 000012
【図１１】
2017114588.tif 000013
【図１２】
2017114588.tif 000014
【図１３】
2017114588.tif 000015
【図１４】
2017114588.tif 000016
【手続補正書】
【提出日】平成28年12月21日(2016.12.21)
【手続補正１】
【補正対象書類名】特許請求の範囲
【補正対象項目名】全文
【補正方法】変更
【補正の内容】
【特許請求の範囲】
【請求項１】
エレベータの乗りかごの天井に取り付けられる照明装置であって、
点検口と救出口が設けられた天井に取り付けられ、かご室内を照明する複数の照明灯からなる発光部と、
前記発光部を取り囲むように前記天井に固定されるケースと、
前記発光部の下に配置され、前記発光部からの光を下方に透過させる透光部と、
前記透光部を保持し、前記ケースに対して回動可能に片側が枢支された透光部枠と、
前記透光部枠を前記ケースに対して閉じる閉位置へ固定し、および固定解除をするための透光部枠ロック機構と、を備え、
前記透光部枠ロック機構は、前記かご室内での前記ケース外側からの操作および前記天井の点検口を通しての前記ケース内側からの操作のいずれによっても、前記透光部枠の固定／解除が可能であり、
前記透光部枠ロック機構は、
前記ケースの内側で、当該ケースと前記透光部枠とを連結するＬ字型のブラケットと、
前記ブラケットの一端部を前記ケースの内側に着脱可能に固定し、前記ケースの外側で緩めて前記ブラケットからの取り外しが可能な第１のねじ要素と、
前記ブラケットの他端部を前記透光部枠に着脱可能に固定し、前記ケースの内側で緩めて前記ブラケットからの取り外しが可能な第２のねじ要素と、
からなることを特徴とするエレベータ乗りかごの天井照明装置。
【請求項２】
エレベータの乗りかごの天井に取り付けられる照明装置であって、
点検口と救出口が設けられた天井に取り付けられ、かご室内を照明する複数の照明灯からなる発光部と、
前記発光部を取り囲むように前記天井に固定されるケースと、
前記発光部の下に配置され、前記発光部からの光を下方に透過させる透光部と、
前記透光部を保持し、前記ケースに対して回動可能に片側が枢支された透光部枠と、
前記透光部枠を前記ケースに対して閉じる閉位置へ固定し、および固定解除をするための透光部枠ロック機構と、を備え、
前記透光部枠ロック機構は、前記かご室内での前記ケース外側からの操作および前記天井の点検口を通しての前記ケース内側からの操作のいずれによっても、前記透光部枠の固定／解除が可能であり、
前記透光部枠ロック機構は、
前記ケースの外側から回転させることが可能な回転軸と、
前記回転軸に前記ケースの内側で連結されたレバーと、
前記ケースの内側で緩めて取り外しが可能なねじ要素によって前記透光部枠に着脱可能に固定され、前記レバーの先端部が係合可能な被係合部を有するブラケットと、
からなることを特徴とするエレベータ乗りかごの天井照明装置。
【請求項３】
エレベータの乗りかごの天井に取り付けられる照明装置であって、
点検口と救出口が設けられた天井に取り付けられ、かご室内を照明する複数の照明灯からなる発光部と、
前記発光部を取り囲むように前記天井に固定されるケースと、
前記発光部の下に配置され、前記発光部からの光を下方に透過させる透光部と、
前記透光部を保持し、前記ケースに対して回動可能に片側が枢支された透光部枠と、
前記透光部枠を前記ケースに対して閉じる閉位置へ固定し、および固定解除をするための透光部枠ロック機構と、を備え、
前記透光部枠ロック機構は、前記かご室内での前記ケース外側からの操作および前記天井の点検口を通しての前記ケース内側からの操作のいずれによっても、前記透光部枠の固定／解除が可能であり、
前記透光部枠ロック機構は、
前記ケースの外側からキーが挿入されるキー穴を有し、前記ケースの内側に固定されたシリンダ錠と、
前記シリンダ錠に連結され、前記キーの回転とともに回転可能なレバーと、
前記ケースの内側で緩めて取り外しが可能なねじ要素によって前記透光部枠に着脱可能に固定され、前記レバーの先端部が係合可能な被係合部を有するブラケットと、
からなることを特徴とするエレベータ乗りかごの天井照明装置。
【請求項４】
エレベータの乗りかごの天井に取り付けられる照明装置であって、
点検口と救出口が設けられた天井に取り付けられ、かご室内を照明する複数の照明灯からなる発光部と、
前記発光部を取り囲むように前記天井に固定されるケースと、
前記発光部の下に配置され、前記発光部からの光を下方に透過させる透光部と、
前記透光部を保持し、前記ケースに対して回動可能に片側が枢支された透光部枠と、
前記透光部枠を前記ケースに対して閉じる閉位置へ固定し、および固定解除をするための透光部枠ロック機構と、を備え、
前記透光部枠ロック機構は、前記かご室内での前記ケース外側からの操作および前記天井の点検口を通しての前記ケース内側からの操作のいずれによっても、前記透光部枠の固定／解除が可能であり、
前記透光部枠ロック機構は、前記ケースの外側でキーが挿入され、前記ケースの内側に固定されたシリンダ錠と、
前記シリンダ錠に連結され、前記キーの回転とともに回転可能なレバーと、
前記透光部枠に固定されたブラケットと、
前記ケースの内側から緩めて取り外し可能に前記ブラケットに取り付けられ、前記レバーの先端部が係合可能な被係止部を構成するねじ要素と、
からなることを特徴とするエレベータ乗りかごの天井照明装置。